(57)【要約】      （修正有）【課題】ユーザの手首に装着した場合に平滑かつ均質な湾曲を有する内部構造を破損されない可撓性の携帯用電子デバイスを提供する。【解決手段】携帯用電子デバイス１は、ユーザの身体の一部に取り付けるよう配設された柔軟な本体２及び情報を生成するための少なくとも１つの電子アセンブリ１０を備え、柔軟な本体は、下側バンド４及びこのバンドの周縁部８に固定された上側バンド６を備え、情報生成用電子アセンブリは、下側バンドと上側バンドとの間に格納され、柔軟な本体が備える第２の剛性よりも高い第１の剛性を備える。さらに、補強要素２６ａ、２６ｂが第１の剛性を有する第１の領域と第２の剛性を有する第２の領域との間、又は第１の剛性を有する２つの連続した領域の間に配置されている。【選択図】図１
0003190207.tif 000002
【実用新案登録請求の範囲】
【請求項１】
情報を生成できる可撓性を有する携帯用電子デバイスであって、
前記可撓性を有する携帯用電子デバイス（１）は、ユーザの身体の一部に取り付けるよう配設された柔軟な本体（２）及び情報を生成するための少なくとも１つの電子アセンブリ（１０）を備え、
前記柔軟な本体（２）は、可撓性を有する下側バンド（４）及び前記可撓性を有する下側バンド（４）に固定される可撓性を有する上側バンド（６）を備え、
前記情報生成用電子アセンブリ（１０）は、前記可撓性を有する下側バンド（４）と前記可撓性を有する上側バンド（６）との間に格納され、
前記情報生成用電子アセンブリ（１０）は、前記柔軟な本体（２）が備える第２の剛性よりも高い第１の剛性を備え、
前記可撓性を有する携帯用電子デバイス（１）は、前記可撓性を有する下側バンド（４）と前記可撓性を有する上側バンド（６）との間に格納され、かつ前記第１の剛性を有する第１の領域と前記第２の剛性を有する第２の領域との間、又は前記第１の剛性を有する２つの連続した領域の間に配置された補強要素（２６ａ、２６ｂ）を備えていることを特徴とする、可撓性を有する携帯用電子デバイス。
【請求項２】
前記補強要素（２６ａ、２６ｂ）は、その間に前記補強要素（２６ａ、２６ｂ）が接続されている前記第１の領域及び前記第２の領域の剛性の間の範囲内にある剛性を有することを特徴とする、請求項１に記載の可撓性を有する携帯用電子デバイス。
【請求項３】
前記柔軟な本体（２）の剛性は、前記補強要素（２６ａ、２６ｂ）の形状若しくは厚さを調整することにより、又は前記補強要素（２６ａ、２６ｂ）を形成する材料を選択することにより、適合されることを特徴とする、請求項１又は２に記載の可撓性を有する携帯用電子デバイス。
【請求項４】
前記補強要素（２６ａ、２６ｂ）は、プリント回路板（１８）上、柔軟なバッテリ（２２）上、又は前記可撓性を有する下側バンド（４）若しくは前記可撓性を有する上側バンド（６）のいずれか一方の上に固定されていることを特徴とする、請求項１〜３のいずれか１項に記載の可撓性を有する携帯用電子デバイス。
【考案の詳細な説明】
【技術分野】
【０００１】
本考案は、可撓性を有す携帯用電子デバイスに関する。より詳細には、本考案は腕時計タイプのような可撓性を有する携帯用電子デバイスに関する。
【背景技術】
【０００２】
可撓性を有する電子デバイスは、典型的には可撓性を有す下側バンド及び例えば接着又は熱溶着によって可撓性を有す下側バンドに固定された可撓性を有す上側バンドを備えている。可撓性を有する下側バンドと可撓性を有する上側バンドとの間には、少なくとも１つの情報を生成するための電子アセンブリが格納されている。特に可撓性を有する腕時計の場合において、この電子アセンブリは、時間を含む情報を表示するためのものであり、この目的のために、液晶表示ユニット等の表示デバイス及びプリント回路板を備え、このプリント回路板上は、特にタイムベース等の腕時計の適切な動作のために必要な様々な個別及び一体型構成部品が設けられている。複数のコネクタを用いて、プリント回路板を液晶表示ユニット及びバッテリに接続している。
【０００３】
可撓性を有する下側及び上側バンドは、高い柔軟性及び弾性を特徴とするポリマー等の柔軟な材料で作製される。このような応用に適したポリマーには、天然ゴム、スチレン−ブタジエンコポリマー、更には熱可塑性ポリウレタンといったいくつかのエラストマが含まれる。熱可塑性であって柔軟なポリマーのその他の材料としては、ポリアミド又はシリコーン等も使用可能である。このようなバンドから得られる携帯用電子デバイスは、典型的にはユーザの身体の手首部分の周囲に装着できる程度の可撓性を有する。使用位置においてこれらの携帯用電子デバイスは湾曲するが、これは重大な欠点を有する。実際、情報を生成するための電子アセンブリを構成する様々な電子構成部品（液晶表示ユニット、プリント回路板、バッテリ）は一般に、これらをその間に格納する可撓性を有するバンドよりも高い剛性を有する。携帯用電子デバイス内の電子構成部品の配置に応じて、電子構成部品のうちの２つの間の接合点、又は電子構成部品のうちの１つと、可撓性を有するバンドの柔軟な材料との間の接合点において、局所的に剛性が高い領域を形成する。携帯用電子デバイスを例えば手首の周りに装着すると、これら局所的に剛性が高い領域においてしわが発生する。これらのしわは、審美的外観を損ねるのみならず、携帯用電子デバイス内部の電子構成部品又は電気的接続を損傷する。最悪の場合、可撓性を有するバンドの材料はこのしわの位置で破断するため可撓性を有する電子デバイスの非可逆的な破壊につながる。
【考案の概要】
【考案が解決しようとする課題】
【０００４】
本考案の目的は、例えばユーザの手首に装着した場合に平滑かつ均質な湾曲を有する携帯用電子デバイスを提供することにより、上述の欠点を克服することである。
【課題を解決するための手段】
【０００５】
この目的のために、本考案は情報を生成できる可撓性を有する携帯用電子デバイスに関し、この可撓性を有する携帯用電子デバイスは、ユーザの身体の一部に取り付けるよう設けられた柔軟な本体及び情報を生成するための少なくとも１つの電子アセンブリを備え、上記柔軟な本体は、可撓性を有する下側バンド及び可撓性を有する下側バンドに固定された可撓性を有する上側バンドを備え、上記情報生成用電子アセンブリは、可撓性を有する下側バンドと可撓性を有する上側バンドとの間に格納され、この情報生成用電子アセンブリは、柔軟な本体が備えた第２の剛性よりも高い第１の剛性を備え、可撓性を有する携帯用電子デバイスは、可撓性を有する下側バンドと可撓性を有する上側バンドとの間に格納され、かつ第１の剛性を有する第１の領域と第２の剛性を有する第２の領域との間、又は第１の剛性を有する２つの連続した領域の間に配置された、補強要素を備えていることを特徴とする。
【０００６】
本考案の更なる特徴によると、補強要素は、その間にこの補強要素が接続されている第１の領域及び第２の領域の剛性の間の範囲内にある剛性を有する。
【０００７】
本考案の更に他の特徴によると、柔軟な本体の剛性は、補強要素の形状若しくは厚さを調整することにより、又は補強要素を形成する材料を選択することにより適合される。
【０００８】
これらの特徴により、本考案は、補強要素が、情報生成用電子アセンブリの電子構成部品に対応する剛性領域と、可撓性を有する携帯用電子デバイスの柔軟な本体の材料に対応するより柔軟な領域との間の遷移部分を形成できる、可撓性を有する携帯用電子デバイスを提供する。同様に、補強要素は、２つの連続する及び離間した剛性領域間の接続を提供できる。補強要素を形成する材料を選択することにより、及び補強要素の厚さ及び寸法を調整することにより、柔軟な本体の剛性を、電子構成部品の剛性に対応する高い値から、柔軟な本体の剛性に対応する低い値へと徐々に低減することができる。高い剛性の領域とより低い剛性の領域との間の遷移部分により、可撓性を有するバンドのしわは発生せず、これは携帯用電子デバイスの外観を改善するとともに外観の悪化を防止する。
【０００９】
本考案の他の特徴及び利点は、添付した図面を参照して、本考案による可撓性を有する携帯用電子デバイスの実施形態についての以下の詳細な説明を読むことにより明らかになるであろう。この例は単なる例示目的のものであり、非限定的なものである。
【図面の簡単な説明】
【００１０】
【図１】図１は、可撓性を有する下側バンドと可撓性を有する上側バンドとの間にある、本考案による可撓性を有する携帯用電子デバイスの展開斜視図であり、可撓性を有する下側バンドと可撓性を有する上側バンドとの間には補強要素が格納されている。
【考案を実施するための形態】
【００１１】
本考案は、例えばユーザの手首の周りに装着される柔軟な本体の形態の可撓性を有する携帯用電子デバイスを提供するという一般的創意に由来するものであり、柔軟な本体を形成する材料にしわを存在させないことを目的とする。この目的を達成するために、本考案は、電子構成部品の存在に対応する高い剛性の領域と、柔軟な本体の材料に対応する低い剛性の領域との間に、補強要素を配置することを教示する。補強要素の形状、寸法、又はこれを形成する材料を調整することにより、柔軟な本体の剛性の値を高い値から低い値へと徐々に低減するため、剛性が異なるこれらの領域の間の遷移部分上にしわが発生しなくなる。よって携帯用電子デバイスの審美的外観及び摩耗耐性が改善される。
【００１２】
本出願に添付した唯一の図は、本考案による可撓性を有する携帯用電子デバイスの展開斜視図である。
【００１３】
一般に参照符号１で示す携帯用電子デバイスは可撓性を有し、手首等ユーザの身体の一部の周りに装着することを意図したものである。携帯用電子デバイス１は柔軟な本体２を備え、これは概して、可撓性を有する下側バンド４及び可撓性を有する上側バンド６からなるバンド又はブレスレットの形態を呈する。可撓性を有する下側バンド４は、エラストマ等どのような可塑性材料で作製してよい。可撓性を有する上側バンド６は、同じく可撓性を有する下側バンド４の周縁部８にわたって密封するように固定される可塑性フィルムである。可撓性を有する下側バンド４への可撓性を有する上側バンド６の固定は、接着又は熱溶着等のいずれかの適切な方法で実施できる。代替として、可撓性を有する上側バンド６を可撓性を有する下側バンド４の表面全体にわたって固定してもよい。
【００１４】
携帯用電子デバイス１は、少なくとも１つの情報を生成する機能、及び好ましい実施形態では、このような情報を生成及び表示する機能を有する。この目的のために、携帯用電子デバイス１は情報を生成するための少なくとも１つの電子アセンブリ１０を備え、これは可撓性を有する下側バンド４に設置され、可撓性を有する下側バンド４には可撓性を有する上側バンド６が固定される。この目的のために、可撓性を有する下側バンド４は、その全長のうちのある部分に、情報生成及び表示用電子アセンブリ１０を設けるハウジング１２を備えている。
【００１５】
図示した実施例では、情報生成及び表示用電子アセンブリ１０は、プリント回路板１８の上面１６上に設置された液晶表示ユニット又は有機発光ダイオード表示ユニット等の柔軟な表示デバイス１４を含む。プリント回路板１８はまた、携帯用電子デバイス１の、特にタイムベース等の適切な動作のために必要な、様々な別個の及び一体型の電子構成部品２０も備えている。柔軟なバッテリ２２を、この目的のために可撓性を有する下側バンド４に形成したハウジング１２に、プリント回路板１８の底面２４側に配置することにより、組立てが完了する。
【００１６】
上述のように、本考案による携帯用電子デバイス１は、ユーザの身体の一部、例えば手首の周りに装着するためのものである。従って、携帯用電子デバイス１は、ユーザの手首の実質的に円形の外形に適合するように屈曲しなければならない。このため、電子アセンブリ１０を構成する様々な電子構成部品、すなわち表示デバイス１４、プリント回路板１８及びバッテリ２２は、ある程度の柔軟性を有していなければならない。しかしながら、これら電子構成部品は、柔軟性を有しつつも、携帯用電子デバイス１の柔軟な本体２を構成する可撓性を有する下側バンド４及び可撓性を有する上側バンド６の剛性よりも高い剛性を有する。よって、これら電子構成部品のうちの２つの間の接合点、又はこれら電子構成部品のうちの１つと、可撓性をもつバンドの柔軟な材料との間の接合点において、局所的に剛性が高い領域を形成する。
【００１７】
図示した実施例では、プリント回路板１８の端部と携帯用電子デバイス１の柔軟な本体２との間に、矢印Ａで示されるような接合領域が２つ存在する。従って、携帯用電子デバイス１を例えば手首の周りに装着した場合に、これら接合領域においてしわが発生する。これらのしわは、審美的外観を損ねるのみならず、携帯用電子デバイス１内部の電子構成部品又は電気的接続を損傷する。最悪の場合、可撓性を有する下側バンド４及び可撓性を有する上側バンド６の材料はこのしわの位置で破断してしまい、これは可撓性を有する電子デバイス１の非可逆的な破壊につながる。
【００１８】
従って本考案によると、プリント回路板１８と柔軟なバッテリ２２との間に第１の補強要素２６ａ及び第２の補強要素２６ｂを配設する。図面を参照すると判るように、第１の補強要素２６ａ及び第２の補強要素２６ｂによって、柔軟なバッテリ２２と、柔軟なバッテリ２２より大きな寸法を有するプリント回路板１８との間の遷移部分を固定できる。このようにして、第１の補強要素２６ａ及び第２の補強要素２６ｂによって、柔軟なバッテリ２２に対応する第１の剛性を有する領域と、プリント回路板１８に対応する第２の剛性を有する領域との間の遷移部分を実現できる。よって、これら補強要素２６ａ、２６ｂはプリント回路板１８上、柔軟なバッテリ２２上、又は可撓性を有する下側バンド４若しくは可撓性を有する上側バンド６のいずれか一方の上に固定できる。
【００１９】
更に、図示したように、第１の補強要素２６ａ及び第２の補強要素２６ｂは、携帯用電子デバイス１の長手方向に、プリント回路板１８の幾何学的形状の限界を超えて延在する。より詳細には、第１の補強要素２６ａ及び第２の補強要素２６ｂは実質的に、プリント回路板１８の横断方向縁部２８から離れるにつれて先細になる矢型を有する。このようにして、第１の補強要素２６ａ及び第２の補強要素２６ｂによって、プリント回路板１８に対応する第１の剛性を有する領域と、携帯用電子デバイス１の柔軟な本体２の材料に対応する第２の剛性を有する領域との間の遷移部分も同様に実現できる。
【００２０】
従って、特に第１の補強要素２６ａ及び第２の補強要素２６ｂの形状を適合させることにより、電子構成部品、すなわち表示デバイス１４、プリント回路板１８及び柔軟なバッテリ２２を積層した領域に対応する高い剛性値を、携帯用電子デバイス１の柔軟な本体２の材料に対応する低減値へと徐々に低減することができ、剛性が異なるこれらの領域の間の遷移部分上にしわが出現しなくなる。よって、携帯用電子デバイス１の審美的外観及び摩耗耐性が改善される。
【００２１】
第２の補強要素２６ｂは、柔軟なバッテリ２２の出力端子３２を、プリント回路板１８に接続できるようにするための２つの開口３０を有することに留意されたい。
【００２２】
本考案は上述の実施形態に限定されるものではなく、当業者は、添付の請求項で定義する本考案の範囲から逸脱しない限りにおいて、様々な修正例及び単純な変形例を考案できることは言うまでもない。特に、柔軟な本体の剛性を高い値から低い値へと徐々に低減するための補強要素の材料又は厚さを変更することもできることは言うまでもない。
【符号の説明】
【００２３】
１      可撓性を有する携帯用電子デバイス
２      柔軟な本体
４      可撓性を有する下側バンド
６      可撓性を有する上側バンド
１０    電子アセンブリ
１４    表示デバイス
１８    プリント回路板
２０    電子構成部品
２２    柔軟なバッテリ
２６ａ  補強要素
２６ｂ  補強要素
【図１】
0003190207.tif 000003
【手続補正書】
【提出日】平成26年2月6日(2014.2.6)
【手続補正１】
【補正対象書類名】実用新案登録請求の範囲
【補正対象項目名】請求項４
【補正方法】変更
【補正の内容】
【請求項４】
前記携帯用電子デバイスは、少なくともプリント回路板（１８）及び柔軟なバッテリ（２６）を備え、前記補強要素（２６ａ、２６ｂ）は、プリント回路板（１８）上、柔軟なバッテリ（２２）上、又は前記可撓性を有する下側バンド（４）若しくは前記可撓性を有する上側バンド（６）のいずれかに固定されていることを特徴とする、請求項１〜３のいずれか１項に記載の可撓性を有する携帯用電子デバイス。